(57)【要約】【課題】皮膚の状態を幅広く正確に検査する検査シートを提供する。【解決手段】皮膚から発生する分泌物と接触することによって色が変化する同一の試薬それぞれを含み、同一量の前記分泌物に対して、色の変化の状態がそれぞれ異なる複数の試薬保持部を備える。また、複数の試薬保持部は、同一量の分泌物に対して、単位時間当たりの色の変化量がそれぞれ異なってもよい。また、複数の試薬保持部は、同一量の前記分泌物に対して、色の変化が開始するタイミングがそれぞれ異なってもよい。【選択図】図１
2008298481.tif 000002
【特許請求の範囲】
【請求項１】
皮膚から発生する分泌物と接触することによって色が変化する同一の試薬それぞれを含み、同一量の前記分泌物に対して、色の変化の状態がそれぞれ異なる複数の試薬保持部
を備える検査シート。
【請求項２】
前記複数の試薬保持部は、同一量の前記分泌物に対して、単位時間当たりの色の変化量がそれぞれ異なる請求項１に記載の検査シート。
【請求項３】
前記複数の試薬保持部の前記皮膚に対向する面に隣接してそれぞれ設けられ、前記分泌物をそれぞれ透過する複数の透過部
をさらに備え、
前記複数の透過部は、単位時間当たりに前記皮膚から前記複数の試薬保持部のそれぞれに到達させる前記分泌物の量がそれぞれ異なる請求項２に記載の検査シート。
【請求項４】
前記複数の透過部は、前記皮膚から前記複数の試薬保持部のそれぞれへ貫通する貫通孔を有し、
前記複数の透過部がそれぞれ有する前記貫通孔の大きさがそれぞれ異なる請求項３に記載の検査シート。
【請求項５】
前記複数の透過部は、前記皮膚から前記複数の試薬保持部のそれぞれへ貫通する貫通孔を有し、
前記複数の透過部がそれぞれ有する前記貫通孔の単位面積当たりの数がそれぞれ異なる請求項３に記載の検査シート。
【請求項６】
前記複数の試薬保持部は、同一量の前記分泌物に対して、色の変化が開始するタイミングがそれぞれ異なる請求項１に記載の検査シート。
【請求項７】
前記複数の試薬保持部の前記皮膚に対向する面に隣接してそれぞれ設けられ、前記分泌物をそれぞれ透過する複数の透過部
をさらに備え、
前記複数の透過部は、前記分泌物を前記複数の試薬保持部のそれぞれに到達させるまでの時間がそれぞれ異なる請求項６に記載の検査シート。
【請求項８】
前記複数の透過部は、前記分泌物を吸収する材料を有し、前記分泌物の吸収量がそれぞれ異なる請求項７に記載の検査シート。
【請求項９】
前記複数の試薬保持部がそれぞれ含む前記試薬の濃度がそれぞれ異なる請求項１に記載の検査シート。
【発明の詳細な説明】
【技術分野】
【０００１】
本発明は、検査シートに関する。特に、本発明は、被検者の皮膚の状態を検査する検査シートに関する。
【背景技術】
【０００２】
特許文献１には、複数の試薬にそれぞれ水溶性ポリマー層を設け、検体が接触する時刻をそれぞれ異ならせる多項目尿試験紙が記載されている。さらに、特許文献２には、酵素含有試薬を有し、水和した時にグルコースと反応してインジケータの色を変える化学タイマが記載されている。
【特許文献１】特開平９−９６６３５号公報
【特許文献２】特開平１０−１４２２２５号公報
【発明の開示】
【発明が解決しようとする課題】
【０００３】
特許文献１および特許文献２では、全ての被検者に対して、同量の尿を用いて試験を実施して、最適のタイミングにおいて正しい色調を観察している。しかしながら、被検者の皮膚から分泌した分泌物で検査する場合、被検者ごと単位時間当たりの分泌量が異なるので、被検者ごとに水溶性ポリマー層の設定、または被検者ごとに検査時間を設定する必要がある。このため、全ての被検者が同じ検査シートを利用した場合、最適のタイミングにおいて、正しい色調を観察することは難しく、また様々な質感を有する全ての被検者の肌を、同じ検査シートで詳細に観察するのは難しい。
【０００４】
そこで本発明は、上記の課題を解決することができる検査シートを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、検査シートは、皮膚から発生する分泌物と接触することによって色が変化する同一の試薬それぞれを含み、同一量の前記分泌物に対して、色の変化の状態がそれぞれ異なる複数の試薬保持部を備える。
【０００６】
複数の試薬保持部は、同一量の分泌物に対して、単位時間当たりの色の変化量がそれぞれ異なってもよい。また、複数の試薬保持部は、同一量の前記分泌物に対して、色の変化が開始するタイミングがそれぞれ異なってもよい。
【０００７】
なお、上記の発明の概要は、本発明の必要な特徴の全てを列挙したものではなく、これらの特徴群のサブコンビネーションもまた、発明となりうる。
【発明の効果】
【０００８】
以上の説明から明らかなように、本発明によれば、複数の試薬保持部がそれぞれ異なる反応態様を示すことで、より正確に検査結果を示すことができる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
図１は、検査シート１の正面図を示す。検査シート１は、色見本５、表シート６、透明シート１１、透明シート１１にそれぞれ被覆された第一試薬保持部１２、第二試薬保持部１３、および第三試薬保持部１４を備える。なお、本実施例では、検査シート１が試薬保持部を３つ備える場合を示すが、複数備えられていれば数は限定しない。
【００１１】
第一試薬保持部１２、第二試薬保持部１３、および第三試薬保持部１４は、検査シート１の皮膚と接触する面に設けられる。透明シート１１は、第一試薬保持部１２、第二試薬保持部１３、および第三試薬保持部１４のそれぞれを視認する面を被覆すると共に皮膚と接する面を有する。表シート６は、所定の色で透明シート１１の皮膚に接する面と対面に設けられている。また、表シート６は、第一試薬保持部１２、第二試薬保持部１３、および第三試薬保持部１４のそれぞれを、透明シート１１を介して視認できる位置に透孔を有する。色見本５は、表シート６の透明シート１１と接する面と対面上の任意の位置に設けられる。なお、検査シート１は、検査が実施される前において、皮膚との貼付面に剥離シートを備える。さらに、検査シート１は、剥離シートと透明シート１１との間に粘着層を備える。
【００１２】
第一試薬保持部１２、第二試薬保持部１３、および第三試薬保持部１４は、それぞれ被検者の皮膚から発生する分泌物と接触することで色が変化する同一の試薬を含む。第一試薬保持部１２、第二試薬保持部１３、および第三試薬保持部１４は、同一量の分泌物に対して、色の変化の状態がそれぞれ異なる。それぞれの試薬は、検査シート１が貼付された領域の一部に含まれる皮膚の表面の水分または皮脂等の存在により変色する。具体的には、被検者の水分を計測する場合、第一試薬保持部１２、第二試薬保持部１３、および第三試薬保持部１４は無水塩化コバルト塩を試薬として含み、無水塩化コバルト塩の青は、被検者から蒸散した水分に反応することで、塩化コバルト六水和物の赤に変化する。なお、試薬はｐＨ指示薬等であってもよい。
【００１３】
第一試薬保持部１２、第二試薬保持部１３、および第三試薬保持部１４は、同一量の分泌物に対して、単位時間当たりの色の変化量がそれぞれ異なる。即ち、第一試薬保持部１２、第二試薬保持部１３、および第三試薬保持部１４は、検査開始から、それぞれが異なった反応速度または異なった反応開始タイミングで分泌物と反応して呈色反応を示す。ここで、被検者の皮膚から発生する分泌物とは、液体、水分、油分、汗、または皮脂等であってもよい。変色した第一試薬保持部１２、第二試薬保持部１３、および第三試薬保持部１４は、一定時間経過後に、それぞれが呈する色の組み合わせが示された色見本５と比較されて、被検者の皮膚の状態が判断される。なお、第一試薬保持部１２、第二試薬保持部１３、および第三試薬保持部１４と皮膚とが接触する面に、第一試薬保持部１２、第二試薬保持部１３、および第三試薬保持部１４が保持する試薬と皮膚とが直接に接触することを避けるべく、水分または皮脂を透過するが試薬を透過しない不織布等の層を備えてもよい。
【００１４】
透明シート１１は、柔軟性を有し、透明性に優れ、また強靭性にも優れた樹脂フィルムが好ましい。具体的には、高分子樹脂フィルムであってよく、例えば、ポリ塩化ビニル、ポリ塩化ビニリデン、ポリビニルアルコール、ポリエステル、ポリエチレン、ポリプロピレン、ポリウレタン、ポリオレフィン、およびポリアミド系合成繊維等であってよい。高分子樹脂フィルムの重合度および平均分子量等は、検査シート１の使用状況、並びに検査シート１に要求される柔軟性、および耐久性等に応じて適宜決定してよい。
【００１５】
色見本５は、検査開始から一定時間経過後における、第一試薬保持部１２、第二試薬保持部１３、および第三試薬保持部１４が呈する色の組み合わせを示す。また、色見本５は、第一試薬保持部１２、第二試薬保持部１３、および第三試薬保持部１４が呈する色の組み合わせに対応する皮膚の状態の指標を示す。
【００１６】
また、検査シート１、検査シート１を撮像する撮像装置３０、および解析装置４０を備える検査システムであってもよい。検査システムは、皮膚に貼り付けられた検査シート１を撮像装置３０で撮像して、皮膚の状態を検査する。
【００１７】
まず、検査シート１は、人体の皮膚に貼付される。第一試薬保持部１２、第二試薬保持部１３、および第三試薬保持部１４が保持する試薬は、検査シート１が貼付された領域の一部に含まれる皮膚の表面の水分または皮脂等の存在により変色する。そして、撮像装置３０は、透明シート１１のそれぞれを透過した光を撮像して、撮像した画像を示す撮像画像データを、ネットワーク５０を介して解析装置４０に送信する。解析装置４０は、撮像画像データが示す撮像画像から、皮膚の状態を解析する。
【００１８】
撮像装置３０は、検査シート１を撮像する。撮像装置３０が撮像した撮像画像を示す撮像画像データは、ＬＡＮおよびインターネット等のネットワーク５０を介して、撮像画像を解析して皮膚の状態を判断する解析装置４０に送信される。また、撮像装置３０は、撮像装置３０を電気通信的に接続可能なクレードルに保持されてよい。そして、クレードルはネットワーク５０を介して解析装置４０と通信可能に接続される。係る場合に、撮像装置３０は、クレードルを介して解析装置４０に撮像画像データを送信してもよい。
【００１９】
解析装置４０は、撮像装置３０が撮像した検査シート１の撮像画像から、皮膚の状態を解析する。解析装置４０は、ＰＣまたはサーバであってよい。具体的には、解析装置４０は、第一試薬保持部１２、第二試薬保持部１３、および第三試薬保持部１４が呈した色をそれぞれ取得し、それら色の組み合わせと、解析装置４０が有する色の組み合わせに対応する皮膚の状態を示す色見本データとから皮膚の状態を解析する。
【００２０】
図２は、色見本５の正面図を示す。色見本５は、検査後に第一試薬保持部１２、第二試薬保持部１３、および第三試薬保持部１４のそれぞれが示す色の違いを列方向に示す。また、色見本５は、検査後に第一試薬保持部１２、第二試薬保持部１３、および第三試薬保持部１４のそれぞれが示す色の組み合わせを行方向に示す。さらに、色見本５は、第一試薬保持部１２、第二試薬保持部１３、および第三試薬保持部１４のそれぞれが示す色の組み合わせ、即ち行方向にあわせて、被検者の皮膚の状態の指標を示す。第一試薬保持部１２、第二試薬保持部１３、および第三試薬保持部１４のそれぞれが呈する色と、色見本５が示す第一試薬保持部１２、第二試薬保持部１３、および第三試薬保持部１４の色の組み合わせとから、皮膚の状態を判断する。
【００２１】
図３は、検査シート１の側方断面図の第一の実施形態を示す。検査シート１は、色見本５、表シート６、第一透過部７、第二透過部８、第三透過部９、粘着層１０、透明シート１１、第一試薬保持部１２、第二試薬保持部１３、および第三試薬保持部１４を備える。
【００２２】
第一透過部７、第二透過部８、第三透過部９は、それぞれ検査シート１の皮膚に接触する位置に設けられる。そして、第一透過部７、第二透過部８、第三透過部９は、第一試薬保持部１２、第二試薬保持部１３、および第三試薬保持部１４の皮膚に対向する面に隣接してそれぞれ設けられ、分泌物をそれぞれ透過する。第一試薬保持部１２は、第一透過部７の上面、即ち、第一透過部７の皮膚に接触する面と反対の面に接触して配置される。第二試薬保持部１３は、第二透過部８の上面、即ち、第二透過部８の皮膚に接触する面と反対の面に接触して配置される。第三試薬保持部１４は、第三透過部９の上面、即ち、第三透過部９の皮膚と接触する面と反対の面に接触して配置される。なお、第一透過部７、第二透過部８、第三透過部９は、アセチルセルロース、ポリスルホン、ニトロセルロース、ポリ塩化ビニリデン等の多孔質材料で形成される。
【００２３】
透明シート１１は、第一透過部７、第二透過部８、および第三透過部９の上面に接触して配置される。透明シート１１は、第一透過部７、第二透過部８、および第三透過部９、並びに第一試薬保持部１２、第二試薬保持部１３、および第三試薬保持部１４を被覆する。また、粘着層１０は、透明シート１１の下面、即ち、透明シート１１の皮膚と対向する面に設けられる。なお、粘着層１０は、例えば、アクリル系粘着剤であってよい。
【００２４】
表シート６は、透明シート１１の上面、即ち、第一試薬保持部１２、第二試薬保持部１３、および第三試薬保持部１４に接触する面と反対の面に接触して配置される。表シート６は、第一試薬保持部１２、第二試薬保持部１３、および第三試薬保持部１４のそれぞれを、透明シート１１を介して視認できる位置に透孔を有する。色見本５は、表シート６の透明シート１１に接触する面と反対の面上に設けられる。
【００２５】
第一透過部７は、皮膚から第一試薬保持部１２に貫通する複数の貫通孔を有する。第二透過部８は、皮膚から第二試薬保持部１３に貫通する複数の貫通孔を有する。第三透過部９は、皮膚から第三試薬保持部１４に貫通する複数の貫通孔を有する。第一透過部７、第二透過部８、および第三透過部９がそれぞれ有する複数の貫通孔は、それぞれの透過部ごとに、大きさがそれぞれ異なる。例えば、第一透過部７、第二透過部８、および第三透過部９は、それぞれ大、中、小の大きさの貫通孔を有するものとする。即ち、一定の皮膚から分泌される分泌物の蒸散量に対して、第一透過部７は、多くの分泌物を第一試薬保持部１２へと透過する。また、第二透過部８は、中程度の分泌物を第二試薬保持部１３へと透過する。さらに、第三透過部は、少ない分泌物を第三試薬保持部１４へと透過する。
【００２６】
第一透過部７、第二透過部８、および第三透過部９のそれぞれは、透過部ごとに異なった大きさの貫通孔を含むことで、検査開始後、単位時間当たりに皮膚から第一試薬保持部１２、第二試薬保持部１３、および第三試薬保持部１４のそれぞれに到達させる分泌物の量がそれぞれ異なる。なお、第一透過部７、第二透過部８、および第三透過部９のそれぞれは、単位面積当たりの数が透過部ごとにそれぞれ異なる同一の大きさの貫通孔を有していても良い。検査開始から一定時間経過後において、第一試薬保持部１２、第二試薬保持部１３、および第三試薬保持部１４は、それぞれが接する透過部から浸透する分泌物の量がそれぞれ異なることで、それぞれ異なった色の変化量を示す。
【００２７】
図４は、本発明の第一実施形態に係る試薬保持部の色の変化を示す。図４において、縦軸はそれぞれの試薬保持部の色の変化量を示し、横軸は皮膚から分泌した分泌物の蒸散量を示す。皮膚からの分泌物の蒸散量に対する、第一試薬保持部１２の色の変化量をａに示す。皮膚からの分泌物の蒸散量に対する、第二試薬保持部１３の色の変化量をｂに示す。皮膚からの分泌物の蒸散量に対する、第三試薬保持部１４の色の変化量をｃに示す。なお、色の変化量とは、色相の変化量の他に、色が濃くなっていく量、および色が淡くなっていく量も含む。また、蒸散量に対するそれぞれの試薬保持部の色の変化する速さは、ａ、ｂ、およびｃの傾きで表される。
【００２８】
検査開始から一定時間経過後における皮膚からの分泌物の蒸散量がｋであった場合、第一試薬保持部１２は、多くの試薬が反応して既に色が十分変化している状態を示す。第二試薬保持部１３は、色変化が進行途上で、試薬の半分以上が変化した状態を示す。第三試薬保持部１４は、色変化が進行途上で、試薬の約半分が変化した状態を示す。このように、第一試薬保持部１２、第二試薬保持部１３、および第三試薬保持部１４のそれぞれが含む試薬は、異なった反応速度で色変化する。
【００２９】
第一試薬保持部１２、第二試薬保持部１３、および第三試薬保持部１４のそれぞれが含む試薬の反応速度を異ならせることで、試薬保持部が一つである場合に対して、正確な皮膚の状態を検査できる。さらには、様々な皮膚の状態をより幅広く検査することができる。例えば、皮膚が乾燥しており、分泌物の蒸散量が極端に少ない皮膚を検査した場合であっても、第一試薬保持部１２が含む試薬の色が大きく変化する。したがって、乾燥した皮膚の蒸散量を正確に検査できる。また、皮膚がよく潤っており、分泌物の蒸散量が極端に多い皮膚を検査した場合であっても、第三試薬保持部１４が含む試薬の色は、飽和することなく、変化し続ける。したがって、よく潤った皮膚の蒸散量も正確に検査できる。ゆえに、一つの検査シート１で、様々な皮膚の状態を検査することができる。
【００３０】
図５は、検査シート１の側方断面図の第二の実施形態を示す。検査シート１は、色見本５、表シート６、粘着層１０、透明シート１１、第一試薬保持部１２、第二試薬保持部１３、第三試薬保持部１４、第一透過部２４、第二透過部２５、および第三透過部２６を備える。
【００３１】
なお、本実施形態に係る検査シート１は、第一透過部２４、第二透過部２５、および第三透過部２６が、それぞれ透過層および吸収材料を有する点を除き、図１から図４の上記説明における検査シート１と略同一の機能および構成を有する。従って、以下の説明においては、第一透過部２４、第二透過部２５、および第三透過部２６を除く他の構成要素についての詳細な説明は省略する。
【００３２】
第一透過部２４は、第一試薬保持部１２の皮膚と対向する面に隣接して設けられる。第一透過部２４は、第一透過層１５と、第一吸収材料１８とを有する。第一透過層１５は、第一透過部２４の皮膚と接触する面に設けられる。また、第一吸収材料１８は、第一透過部２４の第一試薬保持部１２と接する面に設けられる。
【００３３】
第二透過部２５は、第二試薬保持部１３の皮膚と対向する面に隣接して設けられる。第二透過部２５は、第二透過層１６と、第二吸収材料１９とを有する。第二透過層１６は、第二透過部２５の皮膚と接触する面に設けられる。また、第二吸収材料１９は、第二透過部２５の第二試薬保持部１３と接する面に設けられる。
【００３４】
第三透過部２６は、第三試薬保持部１４の皮膚と対向する面に隣接して設けられる。第三透過部２６は、第三透過層１７と、第三吸収材料２０とを有する。第三透過層１７は、第三透過部２６の皮膚と接触する面に設けられる。また、第三吸収材料２０は、第三透過部２６の第三試薬保持部１４と接する面に設けられる。
【００３５】
第一透過層１５、第二透過層１６、および第三透過層１７は、それぞれが皮膚から同量の分泌物を、第一吸収材料１８、第二吸収材料１９、および第三吸収材料２０へと浸透させる。第一吸収材料１８、第二吸収材料１９、および第三吸収材料２０は、それぞれ第一試薬保持部１２、第二試薬保持部１３、および第三試薬保持部１４のそれぞれよりも先に、皮膚からの分泌物を吸収する。具体的には、塩化コバルトを試薬として皮膚の水分を検査する場合、第一吸収材料１８、第二吸収材料１９、および第三吸収材料２０は、シリカゲル、ゼオライト等の水分吸収部材を用いる。第一吸収材料１８、第二吸収材料１９、および第三吸収材料２０は、皮膚からの分泌物を十分吸収した後、第一試薬保持部１２、第二試薬保持部１３および第三試薬保持部１４へ、皮膚からの分泌物を浸透させる。
【００３６】
第一吸収材料１８、第二吸収材料１９、および第三吸収材料２０は、分泌物の吸収量がそれぞれ異なるように設計されている。即ち、第一吸収材料１８、第二吸収材料１９、および、第三吸収材料２０は、それぞれが異なった厚さ、または異なった部材を有して、それぞれ異なった時間で飽和状態となる。その結果、第一吸収材料１８、第二吸収材料１９、および第三吸収材料２０は、それぞれ異なった時間で第一試薬保持部１２、第二試薬保持部１３、および第三試薬保持部１４へと分泌物を到達させる。そして、第一試薬保持部１２、第二試薬保持部１３、および第三試薬保持部１４は、同一量の前記分泌物に対して、それぞれ異なったタイミングで分泌物と反応して色変化する。なお、第一吸収材料１８、第二吸収材料１９、または第三吸収材料２０のいずれか一つが、分泌物を吸収しない構造であってもよい。即ち、第一吸収材料１８が分泌物を吸収しない構造であったとすると、第一吸収材料１８は、第一透過層１５を浸透した分泌物をそのまま透過して、第一試薬保持部１２へと到達させる。この場合、第一試薬保持部１２は、検査開始から分泌物による色変化を開始する。本実施形態では、第一吸収材料１８が分泌物を吸収しない構造であり、第二吸収材料１９が少ない、第三吸収材料が多い分泌物の吸収量を有する場合で説明する。
【００３７】
図６は、本発明の第二実施形態に係る試薬保持部の色の変化を示す。図６において、縦軸はそれぞれの試薬保持部の色の変化量を示し、横軸は皮膚から分泌した分泌物の蒸散量を示す。皮膚からの分泌物の蒸散量に対する、第一試薬保持部１２の色の変化量をａに示す。皮膚からの分泌物の蒸散量に対する、第二試薬保持部１３の色の変化量をｂに示す。皮膚からの分泌物の蒸散量に対する、第三試薬保持部１４の色の変化量をｃに示す。なお、色の変化量とは、色相の変化量の他に、色が濃くなっていく量、および色が淡くなっていく量も含む。また、蒸散量に対するそれぞれの試薬保持部の色の変化する速さは、ａ、ｂ、およびｃの傾きで表される。
【００３８】
検査を開始すると、第一試薬保持部１２は、分泌物の蒸散量がｌ１になるまで色変化して、蒸散量ｌ１において色変化が終了する。第二試薬保持部１３は、皮膚からの分泌物の蒸散量がｌ１に達した場合に、皮膚からの分泌物との反応を開始する。第二試薬保持部１３は、皮膚からの分泌物が蒸散量ｌ１に達した場合に反応を開始して、蒸散量ｌ２において色変化が終了する。第三試薬保持部１４は、皮膚からの分泌物の蒸散量がｌ２に達した場合に、皮膚からの分泌物との反応を開始する。第三試薬保持部１４は、皮膚からの分泌物が蒸散量ｌ２に達した場合に反応を開始して、蒸散量ｌ３になるまで色変化して、蒸散量ｌ３において色変化が終了する。
【００３９】
検査開始から一定時間経過後における皮膚からの分泌物の蒸散量がｋであった場合、第一試薬保持部１２および第二試薬保持部１３は、それぞれ多くの試薬が反応して既に色が十分変化している状態を示す。第三試薬保持部１４は、色変化が進行途上で、試薬の１／４程度が変化した状態を示す。このように、それぞれの試薬保持部は、蒸散量にあわせて順次反応していく。
【００４０】
第一試薬保持部１２、第二試薬保持部１３、および第三試薬保持部１４は、それぞれが順次反応するので、水分が極端に多い被検者、または水分が極端に少ない被検者に対して、どちらにも同じ時間で正確な検査を実施できる。また、第一試薬保持部１２、第二試薬保持部１３、および第三試薬保持部１４のそれぞれが別々に反応するので、検査シート１を厚くすることなく、長時間の検査をすることができる。即ち、分泌物の蒸散量がｌ３に達するまで検査することができる。
【００４１】
図７は、本発明の第二実施形態に係る試薬保持部の色の変化における別の例を示す。図７において、縦軸はそれぞれの試薬保持部の色の変化量を示し、横軸は皮膚から分泌した分泌物の蒸散量を示す。皮膚からの分泌物の蒸散量に対する、第一試薬保持部１２の色の変化量をａに示す。皮膚からの分泌物の蒸散量に対する、第二試薬保持部１３の色の変化量をｂに示す。皮膚からの分泌物の蒸散量に対する、第三試薬保持部１４の色の変化量をｃに示す。なお、色の変化量とは、色相の変化量の他に、色が濃くなっていく量、および色が淡くなっていく量も含む。また、蒸散量に対するそれぞれの試薬保持部の色の変化する速さは、ａ、ｂ、およびｃの傾きで表される。
【００４２】
検査開始から一定時間経過後における、分泌物の蒸散量がｋであった場合、第一試薬保持部１２は、それぞれ多くの試薬が反応して既に色が十分変化している状態を示す。第二試薬保持部１３は、色変化が進行途上で、試薬の２／３程度が変化した状態を示す。また、第三試薬保持部１４は、色変化が進行途上で、試薬の１／３程度が変化した状態を示す。このように、第一試薬保持部１２、第二試薬保持部１３、および第三試薬保持部１４のそれぞれが含む試薬は、異なったタイミングで変化を開始して、同じ速度で色変化する。
【００４３】
複数の試薬保持部を備え、それぞれの試薬保持部が含む試薬に、色変化の開始タイミングを異ならせることで、試薬保持部が一つである場合に対して、正確な皮膚の状態を検査できる。さらには、検査シート１が、複数の試薬保持部を備えることで、様々な皮膚の状態をより幅広く検査することができる。例えば、皮膚が乾燥し、分泌物の蒸散量が極端に少ない皮膚を検査した場合、第一試薬保持部１２が含む試薬は、少ない蒸散量に対して変化を開始する。また、皮膚がよく潤っており、分泌物の蒸散量が極端に多い皮膚を検査した場合、第三試薬保持部１４が含む試薬の色は、多い蒸散量に対して遅い開始タイミングで色変化を開始する。ゆえに、一つの検査シート１で、様々な皮膚の状態を有する被検者を検査することができる。
【００４４】
第一試薬保持部１２、第二試薬保持部１３、および第三試薬保持部１４は、それぞれが異なった反応タイミングで色反応するとともに、同じ速度で分泌物と色反応するので、試薬保持部がひとつである場合に対して、正確な皮膚の状態を検査できる。さらには、様々な皮膚の状態をより幅広く検査することができる。即ち、皮膚の状態に対して、第一試薬保持部１２、第二試薬保持部１３、および第三試薬保持部１４が、それぞれ異なった色を示すので、正確な皮膚の状態を検査できると共に、水分の多い皮膚も水分の少ない皮膚も幅広く検査することができる。さらには、第一吸収材料１８、第二吸収材料１９、および第三吸収材料２０が、それぞれ異なった分泌物の吸収量を有することで、それぞれが対応する第一試薬保持部１２、第二試薬保持部１３、および第三試薬保持部１４のそれぞれの色反応の開始タイミングを制御できる。
【００４５】
図８は、検査シート１の側方断面図の第三の実施形態を示す。検査シート１は、色見本５、表シート６、粘着層１０、透明シート１１、第一試薬保持部２１、第二試薬保持部２２、第三試薬保持部２３、第一透過部２７、第二透過部２８、および第三透過部２９を備える。
【００４６】
なお、本実施形態に係る検査シート１は、第一試薬保持部２１、第二試薬保持部２２、および第三試薬保持部２３が含む試薬の濃度がそれぞれ異なる点と、第一透過部２７、第二透過部２８、および第三透過部２９が同一の浸透量を有する点を除き、図１から図４の上記説明における検査シート１と略同一の機能および構成を有する。また、第一透過部２７、第二透過部２８、および第三透過部２９は、図５から図７における第一透過層１５、第二透過層１６、および第三透過層１７と略同一の機能および構成を有する。従って、以下の説明においては、第一試薬保持部２１、第二試薬保持部２２、および第三試薬保持部２３を除く他の構成要素についての詳細な説明は省略する。
【００４７】
第一試薬保持部２１は、第一透過部２７の上面、即ち、皮膚と接触する面と反対の面に設けられる。第二試薬保持部２２は、第二透過部２８の上面、即ち、皮膚と接触する面と反対の面に設けられる。第三試薬保持部２３は、第三透過部２９の上面、即ち、皮膚と接触する面と反対の面に設けられる。
【００４８】
また、第一試薬保持部２１、第二試薬保持部２２、および第三試薬保持部２３は、それぞれ異なった濃度の試薬を含む。なお、それぞれの試薬保持部が含む試薬の量は、単位面積当たりの試薬の量、または単位体積当たりの試薬の量を異ならせることで実現できる。本実施形態では、第一試薬保持部２１、第二試薬保持部２２、および第三試薬保持部２３は、それぞれ薄い、中間、濃い濃度の試薬を含むものとする。
【００４９】
図９は、本発明の第三実施形態に係る試薬保持部の色の変化を示す。図９において、縦軸はそれぞれの試薬保持部の色の変化量を示し、横軸は皮膚から分泌した分泌物の蒸散量を示す。皮膚からの分泌物の蒸散量に対する、第一試薬保持部２１の色の変化量をａに示す。皮膚からの分泌物の蒸散量に対する、第二試薬保持部２２の色の変化量をｂに示す。皮膚からの分泌物の蒸散量に対する、第三試薬保持部２３の色の変化量をｃに示す。なお、色の変化量とは、色相の変化量の他に、色が濃くなっていく量、および色が淡くなっていく量も含む。また、蒸散量に対するそれぞれの試薬保持部の色の変化する速さは、ａ、ｂ、およびｃの傾きで表される。
【００５０】
検査開始から一定時間経過後における皮膚からの分泌物の蒸散量がｋであった場合、第一試薬保持部２１は、多くの試薬が反応して既に色が十分変化している状態を示す。第二試薬保持部２２は、色変化が進行途上で、試薬の４／５が変化した状態を示す。第三試薬保持部２３は、色変化が進行途上で、試薬の約半分が変化した状態を示す。このように、それぞれの試薬保持部が含む試薬は、異なった蒸散量で反応が完結する。
【００５１】
第一試薬保持部２１、第二試薬保持部２２、および第三試薬保持部２３は、それぞれが異なった濃度の試薬を含むことで、試薬検査開始から一定時間経過後において、それぞれが異なった色を呈する。即ち、第一試薬保持部２１、第二試薬保持部２２、および第三試薬保持部２３には色の差が生じる。この色の差により、第一試薬保持部２１、第二試薬保持部２２、および第三試薬保持部２３の色反応の違いが見えやすくなるので、正確な皮膚の状態を検査できる。
【図面の簡単な説明】
【００５２】
【図１】検査シート１の正面図を示す。
【図２】色見本５の正面図を示す。
【図３】検査シート１の側方断面図の第一の実施形態を示す。
【図４】本発明の第一実施形態に係る試薬保持部の色の変化を示す。
【図５】検査シート１の側方断面図の第二の実施形態を示す。
【図６】本発明の第二実施形態に係る試薬保持部の色の変化を示す。
【図７】本発明の第二実施形態に係る試薬保持部の色の変化における別の例を示す。
【図８】検査シート１の側方断面図の第三の実施形態を示す。
【図９】本発明の第三実施形態に係る試薬保持部の色の変化を示す。
【符号の説明】
【００５３】
１  検査シート
５  色見本
６  表シート
７  第一透過部
８  第二透過部
９  第三透過部
１０  粘着層
１１  透明シート
１２  第一試薬保持部
１３  第二試薬保持部
１４  第三試薬保持部
１５  第一透過層
１６  第二透過層
１７  第三透過層
１８  第一吸収材料
１９  第二吸収材料
２０  第三吸収材料
２１  第一試薬保持部
２２  第二試薬保持部
２３  第三試薬保持部
２４  第一透過部
２５  第二透過部
２６  第三透過部
２７  第一透過部
２８  第二透過部
２９  第三透過部
【図１】
2008298481.tif 000003
【図２】
2008298481.tif 000004
【図３】
2008298481.tif 000005
【図４】
2008298481.tif 000006
【図５】
2008298481.tif 000007
【図６】
2008298481.tif 000008
【図７】
2008298481.tif 000009
【図８】
2008298481.tif 000010
【図９】
2008298481.tif 000011